(57)【要約】【課題】簡単且つ安価な構造と容易な取付け作業によって、隣接する各コアピンの相互間及び両端のコアピンとピン収容溝の両端内面との間を、常にクリアランスの無い状態に設定することが可能なフェルール製造用金型のコアピン支持装置を提供する。【解決手段】心線挿入孔４ａを形成する各コアピン６を、横一列の並列状態に配列して基端側を細ピンホルダー１７で支持するフェルール製造用金型のコアピン支持方法であって、固定側保持体１７Ａと可動側保持体１７Ｂの対向面に形成したピン収容溝２２にコアピン６又はコアピン５と間隔保持ピン６６を装着し、固定側保持体１７Ａに対して可動側保持体１７Ｂを水平スライドしてピン収容溝２２の横幅寸法を縮小させ、隣接した各コアピン６又はコアピン６及び間隔保持ピン６６の間をクリアランスのない状態に位置決めし、固定側保持体１７Ａと可動側保持体１７Ｂの間を連結固定することを特徴とした。【選択図】    図５
2004276351.tif 000002
【特許請求の範囲】
【請求項１】
多芯フェルールのファイバ心線挿入孔を形成する極細径の各コアピンを、横一列の並列状態に配列して基端側を細ピンホルダーで支持するフェルール製造用金型のコアピン支持方法であって、前記細ピンホルダーを構成する固定側保持体と可動側保持体の対向面に形成したピン収容溝に前記コアピン又はコアピンと間隔保持ピンを装着し、当該固定側保持体に対して可動側保持体を水平スライドしてピン収容溝の横幅寸法を縮小させ、隣接した各コアピン又はコアピン及び間隔保持ピンの間をクリアランスのない状態に位置決めし、固定側保持体と可動側保持体の間を連結固定することを特徴としたフェルール製造用金型のコアピン支持方法。
【請求項２】
前記細ピンホルダーは、固定側保持体と可動側保持体を連結部材で連結固定する際に、固定側保持体に対して可動側保持体が一方向へ水平スライドするようにした請求項１に記載したフェルール製造用金型のコアピン支持方法。
【請求項３】
前記細ピンホルダーは、固定側保持体の表裏両面にそれぞれ可動側保持体を設け、各対向面に形成したピン収容溝にコアピン又はコアピン及び間隔保持ピンを装着し、上下２段で支持する請求項１又は２に記載したフェルール製造用金型のコアピン支持方法。
【請求項４】
多芯フェルールのファイバ心線挿入孔を形成する極細径の各コアピンを、横一列の並列状態に配列して基端側を細ピンホルダーで支持するフェルール製造用金型のコアピン支持装置であって、前記細ピンホルダーは対向面にＺ形状の溝形成面を形成した固定側保持体と可動側保持体で構成され、固定側保持体と可動側保持体の間を連結部材で連結して溝形成面で形成した平行四辺形状のピン収容溝を設け、連結部材の仮止め状態では可動側保持体をピン収容溝の横幅寸法を縮小する方向へ水平スライド可能に繋着すると共に、締結状態では可動側保持体を固着して水平スライドによって位置決めした各コアピンを固定支持することを特徴としたフェルール製造用金型のコアピン支持装置。
【請求項５】
前記細ピンホルダーは、溝形成面の両側に水平接合面と傾斜接合面を設け、水平接合面側には固定側保持体に対して可動側保持体を仮止めして水平スライド可能に繋着する第１の連結部材を設けると共に、傾斜接合面側には固定側保持体に対して可動側保持体を水平スライドさせる第２の連結部材を設けた請求項４に記載したフェルール製造用金型のコアピン支持装置。
【請求項６】
前記連結部材は、第１の連結部材が可動側保持体を遊嵌状に挿通して固定側保持体に螺合される締結ねじであり、第２の連結部材が固定側保持体を遊嵌状に挿通して可動側保持体に螺合される締結ねじである請求項５に記載したフェルール製造用金型のコアピン支持装置。
【請求項７】
前記連結部材は、第１の連結部材が可動側保持体を遊嵌状に挿通して固定側保持体に螺合される締結ねじであり、第２の連結部材が固定側保持体を遊嵌状に挿通して可動側保持体に挿入されるテーパピンである請求項５に記載したフェルール製造用金型のコアピン支持装置。
【発明の詳細な説明】
【０００１】
【発明の属する技術分野】
本発明は、光コネクタなどに使用するフェルールを、熱可塑性樹脂材の射出成形で製造するフェルール製造用金型に装着し、ファイバ芯線の挿入孔を形成する極細径のコアピン（細ピン）を、高精度に位置決めした状態で支持するコアピン支持装置の改良に関する。
【０００２】
【従来の技術】
この種のフェルールでは、単芯又は多芯を問わずに高精密な寸法精度が要求され、特に相手側と連結する接合端部側の外径寸法精度や軸心と外径寸法との同軸度を高めることが必要であるが、射出成形した樹脂製フェルールの場合は、ジルコニア製に比べて加工が容易で量産化や低価格化には適している反面、寸法精度その他の点で解決を必要とする幾つかの課題があった。
【０００３】
例えば、ファイバ芯線の挿入孔を形成する極細のコアピンの位置決め精度や、射出成形後における樹脂材の熱収縮などによって、外径寸法精度及び軸心と外径寸法との同軸度が損なわれ、寸法精度の低下で伝送ロスが増大するなどの性能上での課題があった。
【０００４】
この樹脂製フェルールの課題を解決する手段として、例えば特許文献１及び２のように極細の光ファイバー心線を挿入する心線挿入孔を軸心に形成した接合端部側の外周に、少なくとも中間部に形成したフランジ部まで延在させて金属製のインサートパイプを装着したフェルールとその製造方法が提案されている。
【０００５】
【特許文献１】
特開２０００−８４９７４号公報
【特許文献２】
特開２００１−９６５７０号公報
【０００６】
この樹脂製フェルールの製造では、フランジ部に適合する位置に樹脂注入用の連通孔を設けたインサートパイプを金型内に装着すると共に、光ファイバー端末の心線及び被覆に対する挿入孔を形成するためのコアピンを軸心に設け、連通孔の近傍に設けたゲートから連通孔を介して成形樹脂材を注入し、フランジ部を含むフェルール全体が射出成形で一体成形される。
【０００７】
この樹脂製フェルールによると、インサートパイプを装着して射出成形したことで外形寸法精度を高めることができると共に、外周にスリーブを被着して相手方のフェルールと連結する際の整合性が向上し、軸心の心線挿入孔に挿入した光ファイバー心線に対する位置決め精度も向上するので、伝送ロスを少なくできるなどの効果が期待できる。
【０００８】
また、フェルール軸心に設けた光ファイバー端末に対する心線挿入孔は、基端側を支持装置で支持して先端側をキャビティ内に突設する態様で金型内に装着した極細のコアピンによって形成されるので、コアピンを所望位置に設定するコアピンの支持手段は、寸法精度を決定する上で重要な要素である。
【０００９】
特に、今後益々多芯化及び小形化が進んで高精密になると共に、量産化と低コスト化が要求されることが予想されるフェルールに対して、従来技術による樹脂成形製フェルール及びフェルールの製造方法では十分に対応することが困難であり、本件出願人はこれらの課題を解決するために先願発明Ａ及び先願発明Ｂの提案を行っている。
【００１０】
この先願発明Ａは、特に多芯フェルールのより小形化を可能にすると共に、射出成形する際にコアピンが折れたり曲がったりすることを防止し、安価で且つ容易に製造することを主たる目的とした円筒状の多芯フェルール及び多芯フェルールの製造方法についての提案である。
【００１１】
図１は、先願発明Ａ（特願２０００−１８２９７６号）を適用した２芯フェルール１を示し、本願発明でも製造の実施対象とするするが、軸心に光ファイバが装着される樹脂成形部２による内筒と、樹脂成形部２の外径を保持するインサートパイプ３による外筒を備え、インサートパイプ３を金型装置内に装着させ、樹脂成形部２を射出成形して一体に連結された内筒と外筒を形成している。
【００１２】
樹脂成形部２は、前方側の軸心に光ファイバの心線部を挿入する心線挿入孔４ａを、極細径の第１コアピン（細ピン）によって形成すると共に、後方側の軸心に光ファイバの被覆部を挿入する被覆挿入孔４ｃを、太径の第２コアピン（太ピン）によって形成し、心線挿入孔４ａと被覆挿入孔４ｃの間をテーパ孔４ｂで連通状態にしたファイバ装着孔４を形成している。
【００１３】
ファイバ装着孔４は、１本の光ファイバ内に２本以上の複数本の心線部を平行状に設けた多芯光ファイバに適合するように心線挿入孔４ａが形成され、図１の実施形態では２芯光ファイバに適合するように、２つの円形断面をした心線挿入孔４ａ−１，４ａ−２を隣接状態で並設して円繋ぎ形状に形成されている。
【００１４】
この先願発明Ａでは、心線挿入孔４ａを円繋ぎ形状に形成することによって、外径を小さくしてフェルールの多芯化及び小形化に適合ができること、隣接する第１コアピンを接触状態で配置することにより、各第１コアピンが相互に支え合って振れを防止するので、外部応力や射出成形時に充填した成形樹脂材の圧力で第１コアピンが折れたり曲がったりすることを防止できる。
【００１５】
また、図２は従来例による極細径の第１コアピンの支持装置５を示すが、心線挿入孔４ａに適合する外径で先端に円錐状の導入部６ａを形成した２本の第１コアピン６を、方形状で軸心に円繋ぎ形状に取付け孔７を形成した細ピンホルダー８に挿入し、取付け孔７にエポキシ系などの接着剤を注入して固着する。
【００１６】
細ピンホルダー８は、固定側金型内に装着して細ピンホルダー８から突出した第１コアピン６の先端側を、金型内に収容したインサートパイプ３の一方側開口から軸心に突設させると共に、インサートパイプ３の他方側開口から軸心に、テーパ孔４ｂ及び被覆挿入孔４ｃを形成する第２コアピン９を突設させ、コアピン９の先端に形成した円錐状溝９ａに導入部６ａを嵌合して支持している。
【００１７】
しかしながら、例えば各心線挿入孔４ａに装着されるファイバー心線の光軸を正確に一致させるためには、細ピンホルダー８で極細径の第１コアピン６の基端側を支持する際に、隣接する各第１コアピン６の取付けピッチを厳密に設定する必要があるが、図２のようなコアピンの支持装置では十分に対応することができなかった。
【００１８】
すなわち、図２のように細ピンホルダー８の円繋ぎ形状の取付け孔７に第１コアピンを挿着する場合には、取付け孔７を形成する各円孔を高精度で加工する必要があると共に、無調整で所定ピッチに設定することは極めて困難であるから、挿着後にピッチ調整を行う必要がある。
【００１９】
ところが、各円孔の加工を高精度にするほどピッチ調整をするクリアランスが少なくなるので、所定ピッチに設定することが困難になると共に、取付け孔７に挿入する際に第１コアピン６が折れる恐れがあり、またルーズホールにした場合は、円孔内でピッチ調整を行う際に外部応力でコアピン６を折る恐れがある。
【００２０】
そこで、本件出願人は先願発明Ｂ（特願２００２−３３６２０５号）により、特に極細径の第１コアピンを支持するホルダー部分を改善し、第１コアピンの折れを防止し且つ取付けピッチの調整が容易な取付け構造にすると共に、この取付け構造を適用して複数の心線挿入孔を複列に配置した多芯フェルール及び、複数の心線挿入孔を離間して配置した多芯フェルールなどを、小形化し且つ容易に製造できることを主たる目的とした提案を行った。
【００２１】
この先願発明Ｂでは、例えば図３で示すコアピンの支持装置１０のように、第１コアピン６の基端側を支持する細ピンホルダー１１と、先端に楕円状の挿入溝穴１２ａを設けて第１コアピン６の先端側を支持する第２コアピン１２を備え、細ピンホルダー１１は、溝底面が平坦面で複数本の第１コアピン６を接合内面側より突出しない態様で並列に収容するピン収容溝１３を凹設した溝付き板１１Ａと、接合内面側が平坦面１４で溝付き板１１Ａに被着し、ねじ止め（図示を省略）して第１コアピン６を狭持する当て板１１Ｂとで構成した。
【００２２】
細ピンホルダー１１は、ねじの着脱操作で溝付き板１１Ａと当て板１１Ｂを開閉し、ピン収容溝１３に第１コアピン６を取り付け及び取り外しする作業を容易に行うことができると共に、第１コアピン６に無理な外力が加わることが無くてコアピン６の折れを防止でき、ピン収容溝１３の溝底面を平坦面にしているので、各第１コアピンが拘束されずにピッチの調整が可能であり、調整位置に接着１５で固定することができる。
【００２３】
また、当て板１１Ｂを被着する際などにスライドさせても、第１コアピン６に無理な外力が加わることが無くて折れを防止できること、各第１コアピン６間のピッチが適正値の許容範囲外でピッチの調整を必要とする場合には、予め外径寸法別に選別して用意しておいた第１コアピン６の中から、適正なものを選択して交換することで高精度のピッチ調整を容易に行うことができる。
【００２４】
【発明が解決しようとする課題】
しかしながら、先願発明Ｂにおけるコアピンの支持装置１０にも更なる改良の余地が残されており、特にピン収容溝１３内へ横列に複数の第１コアピン６を配列して多芯フェルールを製造する場合には、隣接する各第１コアピン６の相互間及び両端の第１コアピン６とピン収容溝１３の両端内面との間は、できるだけクリアランスの無い状態であることが望ましいが、このような状態に常に設定することが困難であった。
【００２５】
すなわち、大量生産した場合における各第１コアピン６の直径には微少なバラツキがあって、一定の横幅で形成したピン収容溝１３を限界まで狭めると所定本数の第１コアピン６が収容できなくなる恐れがあるので、予想される各第１コアピン６の直径の総和に対して、ピン収容溝１３の横幅寸法にクリアランスを持たせていたが、このクリアランスによって各第１コアピン６の間にはランダムに変化する隙間が発生する。
【００２６】
このために、隣接する各コアピンの間に間隙を生じて所定のピッチで整列できなくなり、各コアピンの位置決め調整を高精度で行うことができなくなったり、隣接する各コアピンが支え合う機能が低下することによって、外部応力や射出成形材の流体圧力を受けた際に折れたり曲がったりする恐れもあり、これを解消する一手段として直径によって選別した別のコアピンに交換する場合もあった。
【００２７】
そこで本発明では、先願発明Ａ，Ｂに更なる改良を加えて上記課題を解決するものであって、特に簡単且つ安価な構造と容易な取付け作業によって、隣接する各コアピンの相互間及び両端のコアピンとピン収容溝の両端内面との間を、常にクリアランスの無い状態に設定することが可能なフェルール製造用金型のコアピン支持装置を提供する。
【００２８】
【課題を解決するための手段】
本発明は、多芯フェルールのファイバ心線挿入孔を形成する極細径の各コアピンを、横一列の並列状態に配列して基端側を細ピンホルダーで支持するフェルール製造用金型のコアピン支持方法及びコアピン支持装置である。
【００２９】
本発明によるコアピン支持方法では、前記細ピンホルダーを構成する固定側保持体と可動側保持体の対向面に形成したピン収容溝に前記コアピン又はコアピンと間隔保持ピンを装着し、当該固定側保持体に対して可動側保持体を水平スライドしてピン収容溝の横幅寸法を縮小させ、隣接した各コアピン又はコアピン及び間隔保持ピンの間をクリアランスのない状態に位置決めし、固定側保持体と可動側保持体の間を連結固定することを特徴としている。
【００３０】
このコアピン支持方法によると、固定側保持体と可動側保持体の間を離間させた状態でコアピンを装着できるので、先願発明Ａのようにコアピンを装着する際に外部応力を受けて折れたり曲がったりすることを防止できると共に、隣接した各コアピン又はコアピン及び間隔保持ピンは円繋ぎ形状で並設して支え合うので、成形時に成形樹脂材の流体圧力で折れたり曲がったりすることがない。
【００３１】
また、ピン収容溝の横幅寸法を各コアピンの直径の総和より大きく設定した状態でコアピンを装着し、その後にピン収容溝の横幅寸法を可動側保持体の水平スライドによって縮小し、各コアピンの直径の総和に適合するように設定すると、隣接した各コアピン又はコアピン及び間隔保持ピンの間をクリアランスのない状態に位置決めできる。
【００３２】
従って、各コアピンを装着する収容溝の横幅寸法が一定で可変できない先願発明Ｂに比べて寸法精度を著しく向上させることができると共に、寸法が合わない場合に先願発明Ｂのように、直径によって選別した別のコアピンに交換するなどの煩わしい作業を必要とせず、常にクリアランスのない状態に容易に位置決めすることができる。
【００３３】
前記コアピン支持方法における細ピンホルダーは、固定側保持体と可動側保持体を連結部材で連結固定する際に、固定側保持体に対して可動側保持体が一方向へ水平スライドするようにした形態を採ることによって、ピン収容溝内における各コアピン又はコアピン及び間隔保持ピンの整列作業を容易且つ確実に行うことができる。
【００３４】
前記コアピン支持方法における細ピンホルダーは、固定側保持体の表裏両面にそれぞれ可動側保持体を設け、各対向面に形成したピン収容溝にコアピン又はコアピン及び間隔保持ピンを装着し、上下２段で支持する形態を採ることによって、心線挿入孔群を複列に配置した各種の多芯化したフェルールを容易且つ高精度のピッチで小形化して製造することが可能である。
【００３５】
本発明によるコアピン支持装置では、前記細ピンホルダーは対向面にＺ形状の溝形成面を形成した固定側保持体と可動側保持体で構成され、固定側保持体と可動側保持体の間を連結部材で連結して溝形成面で形成した平行四辺形状のピン収容溝を設け、連結部材の仮止め状態では可動側保持体をピン収容溝の横幅寸法を縮小する方向へ水平スライド可能に繋着すると共に、締結状態では可動側保持体を固着して水平スライドによって位置決めした各コアピンを固定支持することを特徴としている。
【００３６】
このコアピン支持装置によると、きわめて簡単で且つ安価な構成によって、菱形状又は長方形状による平行四辺形状のピン収容溝を形成し、このピン収容溝内に装着した各コアピン又はコアピン及び間隔保持ピンを、可動側保持体の水平スライドによって、クリアランスのない整列状態で容易且つ高精度に位置決めすることができる。
【００３７】
前記コアピン支持装置における細ピンホルダーは、溝形成面の両側に水平接合面と傾斜接合面を設け、水平接合面側には固定側保持体に対して可動側保持体を仮止めして水平スライド可能に繋着する第１の連結部材を設けると共に、傾斜接合面側には固定側保持体に対して可動側保持体を水平スライドさせる第２の連結部材を設けた形態を採ることによって、ピン収容溝内における各コアピン又はコアピン及び間隔保持ピンの整列作業を容易且つ確実に行うことができる。
【００３８】
前記コアピン支持装置における連結部材は、第１の連結部材が可動側保持体を遊嵌状に挿通して固定側保持体に螺合される締結ねじであり、第２の連結部材が固定側保持体を遊嵌状に挿通して可動側保持体に螺合される締結ねじである形態を採ると、第２の連結部材である締結ねじの締め付けによって可動側保持体が水平スライドされ、ピン収容溝内における各コアピン又はコアピン及び間隔保持ピンの整列作業を容易且つ確実に行うことができる。
【００３９】
前記コアピン支持装置における連結部材は、第１の連結部材が可動側保持体を遊嵌状に挿通して固定側保持体に螺合される締結ねじであり、第２の連結部材が固定側保持体を遊嵌状に挿通して可動側保持体に挿入されるテーパピンである形態を採ると、第２の連結部材であるテーパピンの挿入によって可動側保持体が水平スライドされ、ピン収容溝内における各コアピン又はコアピン及び間隔保持ピンの整列作業を容易且つ確実に行うことができる。
【００４０】
【発明の実施の形態】
以下、本発明によるフェルール製造用金型のコアピン支持装置について、本発明を適用した添付図面の実施形態に基づいて詳細に説明するが、図４は第１の実施形態によるコアピン支持装置１６を斜視図で示し、図５は図４のコアピン支持装置１６における組付作業を断面図で示す。
【００４１】
コアピン支持装置１６は、固定側保持体１７Ａと可動側保持体１７Ｂによる細ピンホルダー１７と、固定側保持体１７Ａと可動側保持体１７Ｂ間に基端側が狭持される複数の各第１コアピン６と、固定側保持体１７Ａと可動側保持体１７Ｂ間を相互に連結する第１及び第２の連結部材１８，１９で構成されている。
【００４２】
固定側保持体１７Ａは、可動側保持体１７Ｂとの対向面２０を備え、この対向面２０は一方側の側端を始端にして一定の高さで中央側へ延在する水平接合面２０Ａと、他端側の側端を始端にして次第に高さを増しながら中央側へ延在する傾斜接合面２０Ｃと、水平接合面２０Ａの終端側と傾斜接合面２０Ｃの終端側との間をＺ形状に接合する溝形成面２０Ｂで形成されている。
【００４３】
可動側保持体１７Ｂは、固定側保持体１７Ａとの対向面２１を備え、この対向面２１は一方側の側端を始端にして一定の高さで中央側へ延在する水平接合面２１Ａと、他端側の側端を始端にして次第に高さを減じながら中央側へ延在する傾斜接合面２１Ｃと、水平接合面２１Ａの終端と傾斜接合面２１Ｃの終端の間をＺ形状に接合する溝形成面２１Ｂで形成されている。
【００４４】
細ピンホルダー１７は、固定側保持体１７Ａの対向面２０と可動側保持体１７Ｂの対向面２１を突き合わせすると、溝形成面２０Ｂと溝形成面２１Ｂとの間で複数の第１コアピン（細ピン）６を装着するピン収容溝２２が形成され、このピン収容溝２２の横幅寸法は、装着する各第１コアピン６の直径の総和より十分に長く形成されている。
【００４５】
細ピンホルダー１７には、可動側保持体１７Ｂの水平接合面２１Ａに開口する座繰り孔２３を設け、固定側保持体１７Ａの水平接合面２０Ａに座繰り孔２３と整合するねじ孔２４を設けると共に、固定側保持体１７Ａの傾斜接合面２０Ｃに開口する座繰り孔２５を設け、可動側保持体１７Ｂの傾斜接合面２１Ｃに座繰り孔２５と整合するねじ孔２６を設けている。
【００４６】
細ピンホルダー１７は、ピン収容溝２２に第１コアピン６を装着した状態で固定側保持体１７Ａと可動側保持体１７Ｂの接合面２０，２１を突き合わせ、座繰り孔２３から挿入した第１の連結部材１８をねじ孔２４に螺合すると共に、座繰り孔２５から挿入した第２の連結部材１９をねじ孔２６に螺合させ、一体のコアピン支持装置１６を構成する。
【００４７】
なお、図４及び図５で図示した第１の実施形態によるコアピン支持装置１６では、第１及び第２の連結部材１８，１９として締結ねじを用いると共に、座繰り孔２３，２５は各締結ねじが遊嵌されるように形成されているが、後述するような第２の実施形態を採ることも可能であり、またピン収容溝２２は図示のような菱形状又は長方形状（図示を省略）による平行四辺形状に形成する。
【００４８】
コアピン支持装置１６は、図５（ａ）のように第１の連結部材１８が座繰り孔２３内で相対的に水平方向へスライド可能にねじ孔２４に仮止めした後に、図５（ｂ）のように座繰り孔２５から挿入した第２の連結部材１９をねじ孔２６に螺合して締め付けると、接合面２０上を可動側保持体１７Ｂが矢印方向へ水平スライドし、ピン収容溝２２の横幅寸法が縮小して各第１コアピン６は、クリアランスの無い状態で整列するので、その後に第１の連結部材１８の本締めを行う。
【００４９】
コアピン支持装置１６は、図６及び図７のような金型装置２７にインサートパイプ３と一緒に装着し、射出成形すると図８のような図１と同様の樹脂製による多芯フェルール１Ａを製造できるが、金型装置２７の概要を説明すると、金型分割面ＰＬの一方側に固定側金型２７Ａを設けると共に、他方側には可動側金型２７Ｂが設けられている。
【００５０】
固定側金型２７Ａには、ロケートリング２８や固定側取付け板２９などによって、射出成形機のノズルを挿入するノズル装着孔３０を形成すると共に、固定側型板３１にはノズル装着孔３０の底部側にスプール３２を形成するスプールブッシュ３３を取り付け、スプールブッシュ３３の隣接位置には第１型板３４を取り付けている。
【００５１】
可動側金型２７Ｂには、可動側型板３５とエジェクタープレート３６を設け、可動側型板３５には金型分割面ＰＬに沿ってランナー３７を形成すると共に、スプール３２にはスプールロックピン３８を挿着し、ランナー３７の隣接位置には第２型板３９を取り付けている。
【００５２】
第１型板３４には、コアピン支持装置１６の細ピンホルダー１７を装着するコアブロック４０と、インサートパイプ３を装着してキャビティ４１を形成するキャビブロック４２と、コアブロック４０の隣接位置で細ピンホルダー１７を押さえる押さえブロック４３を取り付けている。
【００５３】
第２型板３５には、先端に第１コアピン６を挿入する挿入溝穴１２ａを設けた第２コアピン１２を装着したコアブロック４４を取り付け、第２型板３５及びコアブロック４４には、基端側をエジェクタープレート３６に装着して成形品の突き出しを行う第１及び第２のエジェクターピン４５，４６が挿通されている。
【００５４】
コアピン支持装置１６は、細ピンホルダー１７がコアブロック４０に支持された状態で金型装置２７に装着し、光学顕微鏡その他の計測手段を用いてキャビティ４１に対する第１コアピン６の位置を計測すると共に、コアブロック４０側に設けた位置決め調整手段（図示を省略）を用いて芯出しを行った後に、型締めして射出成形を行う。
【００５５】
型締め状態の金型装置２７に対し、液晶ポリマーなどによる成形樹脂材がスプール３２に注入されると、成形樹脂材はランナー３７を介してゲートからキャビティ４１内に充填され、インサートパイプ３と一体化した図８で示す多芯フェルール１Ａが射出成形される。
【００５６】
この射出成形では、多芯フェルールの心線挿入孔４ａを成形するための第１コアピン６は、隣接する各第１コアピン６，６が細ピンホルダー１７によって、クリアランスのない接触状態で支持されているので、各第１コアピン６，６は相互に支え合いながら、外部応力や成形樹脂材の射出圧力などによって折れたり曲がったりすることを防止できる。
【００５７】
また、第１コアピン６の基端側を支持する細ピンホルダー１７によって、隣接する各第１コアピン６，６間のピッチを高精度に位置決めすることができるので、外径寸法を規定するインサートパイプ３の使用と相俟って、外径に対する各心線挿入孔４ａの位置を高精度に設定することが可能である。
【００５８】
これにより、先願発明Ｂにおける第１コアピン６の支持手段のように、細ピンホルダーに設けたピン収容溝の横幅寸法が、各第１コアピン６の直径の総和より小径である場合には直径が小さい第１コアピン６と交換し、各第１コアピン６の直径の総和より大径である場合には直径が大きい第１コアピン６と交換する作業を行う必要がなくなる。
【００５９】
なお、インサートパイプ３を設けた場合には、外径寸法精度が向上するだけでなく、インサートパイプ３によって流路が狭められるので、射出圧力を高くしないで射出速度を速くすることができ、第１コアピン６に対するダメージを軽減して折れたり曲がったりすることを防止すると共に、金型温度を均一にして熱収縮を軽減することができる。
【００６０】
従って、現状における生産技術では寸法精度の確保その他の上記した理由から、インサートパイプ３を使用することが望ましいが、本発明は必ずしもインサートパイプ３を使用した樹脂製フェルールのみを対象とするものではなく、所望の外径寸法精度が確保されるならば、インサートパイプ３を使用しない樹脂製フェルールにも適用することが可能である。
【００６１】
次に、図９で示す第２の実施形態によるコアピン支持装置４７は、固定側保持体４８Ａと可動側保持体４８Ｂによる細ピンホルダー４８と、固定側保持体４８Ａと可動側保持体４８Ｂ間に基端側が狭持される複数の各第１コアピン６と、固定側保持体４８Ａと可動側保持体４８Ｂ間を相互に連結する第１及び第２の連結部材４９，５０と、抜け止め部材５１で構成されている。
【００６２】
コアピン支持装置４７は、図４及び図５で示す第１の実施形態によるコアピン支持装置１６とは、基本的な構成並びに作用効果の点では相違がなく、細ピンホルダー４８を構成する固定側保持体４８Ａと可動側保持体４８Ｂによって、対向面５２，５３の中央に設けたＺ形状の溝形成面によって、複数の第１コアピン６を収容する平行四辺形状又は長方形状のピン収容溝５４を形成する。
【００６３】
細ピンホルダー４８は、第１の連結部材４９で固定側保持体４８Ａと可動側保持体４８Ｂを仮止めした後に、第２の連結部材５０を装着することによって、可動側保持体４８Ｂが矢印方向へ水平スライドし、ピン収容溝５４の横幅寸法が縮小して各第１コアピン６の間がクリアランスの無い状態で整列し、これによって第１の実施形態によるコアピン支持装置１６と同様の効果を奏する。
【００６４】
但し、コアピン支持装置４７ではコアピン支持装置１６の場合とは異なり、第２の連結部材５０としてテーパーピンを用い、固定側保持体４８Ａの傾斜接合面に開口する態様で設けたテーパー孔５５に挿入することによって、可動側保持体４８Ｂを矢印方向へ水平スライドさせると共に、可動側保持体４８Ｂにはねじ孔５６を設けて抜け止め部材５１を螺合させて連結部材５０を係止している。
【００６５】
以上の実施形態では、２芯による多芯フェルール１Ａを製造するコアピン支持装置１６，４７に付いて説明したが、同様の技術思想に基づいて例えば図１０〜１２で示すような実施形態により、３芯以上の各種の多芯フェルールを製造するためのコアピン支持装置に適用することが可能である。
【００６６】
図１０は、８個の心線挿入孔４ａを横一列に円繋ぎ形状で配置した８芯による多芯フェルール１Ｂを製造するコアピン支持装置５７の実施形態を示すが、固定側保持体５８Ａと可動側保持体５８Ｂで形成した細ピンホルダー５８を設け、先の実施形態と同様の対向する対向面５９，６０によってピン収容溝を形成し、横幅方向にクリアランスがある状態で８本の第１コアピン６を並設する。
【００６７】
細ピンホルダー５８は、接合面５９，６０に設けた座繰り孔６１，６３とねじ孔６２，６４を介して、先の実施形態と同様に締結ねじなどによる連結部材（図示を省略）によって、固定側保持体５８Ａと可動側保持体５８Ｂを連結すると、可動側保持体５８Ｂが水平スライドしてピン収容溝の横幅寸法が縮小して、各第１コアピン６間をクリアランスのない密着状態で整列することができる。
【００６８】
図１１は、４個の心線挿入孔４ａを所定間隔毎に横一列に配置した４芯による多芯フェルール１Ｃを製造するコアピン支持装置６５の実施形態を示すが、この実施形態では図１０の実施形態と同様の細ピンホルダー５８を用い、対向面５９，６０によって形成したピン収容溝には４本の各第１コアピン６を離間して装着すると共に、各第１コアピン６の間に第１コアピン６と同じ直径をした短尺の間隔保持ピン６６を装着している。
【００６９】
コアピン支持装置６５は、図１０のコアピン支持装置５７の場合と同様の作用によって、第１コアピン６と間隔保持ピン６６の間をクリアランスのない密着状態で整列し、各第１コアピン６の間は間隔保持ピン６６によって一定間隔に保持されると共に、各第１コアピン６の基端側は間隔保持ピン６６との間で相互に支えられて、曲がったり折れたりすることが防止される。
【００７０】
図１２は、図１０の実施形態と同様に８個の心線挿入孔４ａを横一列に円繋ぎ形状で配置した８芯の心線挿入孔群を、離間した状態で上下２列に配列して合計１６個の心線挿入孔４ａを設けた多芯フェルール１Ｄを製造するコアピン支持装置６７の実施形態を示し、細ピンホルダー６８は固定側保持体６８Ａの表裏両側に可動側保持体６８Ｂ，６８Ｃを連結して構成される。
【００７１】
細ピンホルダー６８は、固定側保持体６８Ａの表裏両面に対して、図１０の実施形態における固定側保持体５８Ａの対向面５９と同様の対向面６９，７０を形成すると共に、対向面６９，７０と対向する可動側保持体６８Ｂ，６８Ｃには、図１０の実施形態における可動側保持体５８Ｂの対向面６０と同様の対向面７１，７２を形成する。
【００７２】
細ピンホルダー６８には、固定側保持体６８Ａの一方側の接合面６９と可動側保持体６８Ｂの接合面７１の間に形成したピン収容溝と、固定側保持体６８Ａの他方側の接合面７０と可動側保持体６８Ｃの接合面７２の間に形成したピン収容溝とに、横幅方向にクリアランスがある状態でそれぞれ８本の第１コアピン６を並設し、離間した状態で上下２列に合計１６本を装着する。
【００７３】
コアピン支持装置６７は、締結ねじなどによる連結部材（図示を省略）を遊嵌状に挿通する通孔７３，７４を固定側保持体６８Ａに設けると共に、可動側保持体６８Ｂ，６８Ｃには座繰り孔６１，６３とねじ孔６２，６４を設け、先の実施形態と同様に連結部材によって相互に締結するが、締結前の仮止め状態で固定側保持体６８Ａに対して、可動側保持体６８Ｂ，６８Ｃを水平スライドさせてピン収容溝の横幅寸法を縮小し、各第１コアピン６間をクリアランスのない密着状態で整列することができる。
【００７４】
なお、本発明は図示の実施形態に限定されるものではなく、要旨の範囲内において各種の変形を採り得るものであり、例えば図１１では各第１コアピン６の間に１本の間隔保持ピン６６を装着しているが、２本以上の間隔保持ピン６６を装着する形態を採ることも可能であると共に、図１１の実施形態と図１２の実施形態とを組み合わせた実施形態を採ることもできる。
【００７５】
これらの実施形態では、例えば１〜複数の間隔保持ピン６６で各第１コアピン６を離間した状態で横一列にして多段状（２列以上の複列）に配列したり、各列の第１コアピンを密接したものと離間したものを混在させて配列したりすることも可能であり、これによって多数の心線挿入孔４ａを各種に配列させた多芯フェルールを製造することができる。
【００７６】
また、図示の実施形態では固定側保持体と可動側保持体の対向面に傾斜接合面を設け、締結ねじやテーパピンなどによる連結部材の取付けによって可動側保持体が自動的に水平スライドすると共に、復元しないように係止保持できるようにしているが、傾斜接合面を水平接合面にして可動側保持体を手動又は押圧手段によって、側面側から押圧して水平スライドする形態を採ることも可能である。
【００７７】
また、図示の実施形態では樹脂成形部の断面形状を円形状にした多芯フェルールを例示したが、方形状その他の断面形状による多芯フェルールの製造にも適用することが可能であると共に、外径寸法精度が確保されるならば、インサートパイプを省略した実施形態を採ることもできる。
【図面の簡単な説明】
【図１】先願発明Ａを適用した実施形態による多芯（２芯）フェルールであって、（ａ）は横断面図、（ｂ）は縦断面図、（ｃ）は平面図、をそれぞれ示す。
【図２】図１の多芯（２芯）フェルールにおける心線挿入孔を射出成形するために、金型装置内に装着する従来例によるコアピン支持手段の斜視図を示す。
【図３】先願発明Ｂを適用した実施形態によるコアピン支持手段であって、（ａ）は分解状態の斜視図、（ｂ）は組立状態の斜視図、をそれぞれ示す。
【図４】本願発明を適用した第１の実施形態によるコアピン支持手段であって、（ａ）は分解状態の斜視図、（ｂ）は組立状態の斜視図、をそれぞれ示す。
【図５】図４のコアピン支持手段における組付作業の操作説明図であって、（ａ）は仮止め状態の断面図、（ｂ）は締結状態の断面図、をそれぞれ示す。
【図６】図４のコアピン支持手段を装着して多芯フェルールを射出成形する金型装置の要部縦断面図を示す。
【図７】図６の金型装置におけるキャビブロック側の部分拡大図であって、（ａ）は縦断面図、（ｂ）は平面図、をそれぞれ示す。
【図８】図４のコアピン支持手段を用いて製造した多芯（２芯）フェルールの斜視図を示す。
【図９】本願発明を適用した第２の実施形態によるコアピン支持手段の組付作業の操作説明図であって、（ａ）は仮止め状態の断面図、（ｂ）は締結状態の断面図、をそれぞれ示す。
【図１０】本願発明を適用した他の実施形態によるコアピン支持手段の説明図であって、（ａ）心線挿入孔を横一列に配列した８芯フェルール製造用に用いるコアピン支持手段の分解状態の斜視図、（ｂ）は製造した８芯フェルールの端面図、をそれぞれ示す。
【図１１】本願発明を適用した他の実施形態によるコアピン支持手段の説明図であって、（ａ）心線挿入孔を横一列に離間状態で配列した４芯フェルール製造に用いるコアピン支持手段の分解状態の斜視図、（ｂ）は製造した４芯フェルールの端面図、をそれぞれ示す。
【図１２】本願発明を適用した他の実施形態によるコアピン支持手段の説明図であって、（ａ）横一列に配列した心線挿入孔を上下２段に設けた１６芯フェルール製造に用いるコアピン支持手段の分解状態の斜視図、（ｂ）は製造した１６芯フェルールの端面図、をそれぞれ示す。
【符号の説明】
１，１Ａ〜１Ｄ  多芯フェルール
４ａ  心線挿入孔
６  第１コアピン（細ピン）
１２  第２コアピン（太ピン）
１２ａ  挿入溝穴
１３  インサートパイプ
１６，４７，５７，６５，６７  コアピン支持装置
１７，４８，５８  細ピンホルダー
１７Ａ，４８Ａ，５８Ａ，６８Ａ  固定側保持体
１７Ｂ，４８Ｂ，５８Ｂ，６８Ｂ，６８Ｃ  可動側保持体
１８，１９，４９，５０  連結部材
２０，２１，５２，５３，５９，６０，６９，７０，７１，７２  対向面
２０Ａ，２１Ａ  水平接合面
２０Ｂ，２１Ｂ  溝形成面
２０Ｃ，２１Ｃ  傾斜接合面
２２，５４  ピン収容溝（第１コアピンの）
２３，２５，６１，６３  座繰り孔
２４，２６，６２，６４  ねじ孔
５１  抜け止め部材
６６  間隔保持ピン
【図１】
2004276351.tif 000003
【図２】
2004276351.tif 000004
【図３】
2004276351.tif 000005
【図４】
2004276351.tif 000006
【図５】
2004276351.tif 000007
【図６】
2004276351.tif 000008
【図７】
2004276351.tif 000009
【図８】
2004276351.tif 000010
【図９】
2004276351.tif 000011
【図１０】
2004276351.tif 000012
【図１１】
2004276351.tif 000013
【図１２】
2004276351.tif 000014